(57)【要約】【課題】簡易な形状の金型を用いてフロントキャビネットを形成することができるキャビネット取付構造を提供する。【解決手段】液晶表示パネルの正面４１ａ側及び背面４１ｂ側にフロントキャビネット１及びリアキャビネット２を取り付ける場合に、可撓リブ１１が、案内リブ２２に案内されて撓み、有穴リブ２１に形成してある挿入穴２０に挿入して係合される。また、有穴リブ２１が案内部１２に案内されて可撓リブ１１側へ撓む。このため、可撓リブ１１と有穴リブ２１とが絡み合うようにしてフロントキャビネット１とリアキャビネット２とが確実に係合する。ここで、可撓リブ１１及び案内部１２は、フロントキャビネット１が液晶表示パネルに取り付けられる取付方向に突出しているため、可撓リブ１１及び案内部１２が前記取付方向の交差方向に突出している場合に比べて、フロントキャビネット１を成形するための金型の形状が簡易になる。【選択図】図６
2007328031.tif 000002
【特許請求の範囲】
【請求項１】
電気機器の一部及び他部に第１キャビネット及び第２キャビネットを夫々取り付けるキャビネット取付構造において、
前記第１キャビネットは、
該第１キャビネットの前記電気機器に対する第１取付方向へ突出しており、可撓性を有する可撓リブを一体に備え、
前記第２キャビネットは、
該第２キャビネットの前記電気機器に対する第２取付方向へ突出しており、前記可撓リブが挿入されて前記可撓リブと係合する挿入穴を形成してある有穴リブと、
前記第２取付方向へ突出しており、前記可撓リブを撓ませて前記可撓リブの前記挿入穴への挿入を案内する案内リブと
を共に一体に備えることを特徴とするキャビネット取付構造。
【請求項２】
前記有穴リブは可撓性を有し、
前記第１キャビネットは、前記有穴リブを撓ませて前記可撓リブの側へ案内する案内部を一体に備えることを特徴とする請求項１に記載のキャビネット取付構造。
【請求項３】
前記電気機器は矩形状であり、
前記第１キャビネットは、前記電気機器の一面を覆う一面部と、該一面部に、前記第１取付方向に設けられ、前記電気機器の周縁を覆う第１周縁部とを有し、
前記可撓リブは前記一面部に突設されており、
前記第２キャビネットは、前記電気機器の他面を覆う他面部と、該他面部に、前記第２取付方向に設けられ、前記電気機器の周縁を覆う第２周縁部とを有し、
前記有穴リブは前記第２周縁部に突設されており、
前記案内リブの周縁に、前記可撓リブを案内する案内面が形成されていることを特徴とする請求項１又は２に記載のキャビネット取付構造。
【発明の詳細な説明】
【技術分野】
【０００１】
本発明は、２個のキャビネットが電気機器に取り付けられてなるキャビネット取付構造に関する。
【背景技術】
【０００２】
例えば液晶テレビジョン装置のような表示装置は、表示画面を正面に有する矩形状の表示パネルと、表示画面を露出させて表示パネルの正面側から表示パネルの外縁部を囲繞するフロントキャビネットと、表示パネルの背面側から表示パネルを被覆するリアキャビネットとを備える。
【０００３】
図７は、従来のキャビネット取付構造が備えるフロントキャビネット５及びリアキャビネット６の取付手順を説明する分解斜視図であり、図８は、従来のキャビネット取付構造の要部の構成を示す縦断面図である。
【０００４】
フロントキャビネット５は合成樹脂を用いてなり、表示装置の表示パネル４１の正面４１ａ周縁近傍を覆う正面部５３と、表示パネル４１の周縁４１ｃの一部を覆うフロント周縁部５４とを一体に有する。
同様に、リアキャビネット６は合成樹脂を用いてなり、表示パネル４１の背面４１ｂを覆う背面部６３と、周縁４１ｃの他部を覆うリア周縁部６４とを一体に有する。このリア周縁部６４は、リア周縁部６４の先端部６４ａが外側（図中上側）へ折れ曲がったようなＬ字状である。
【０００５】
キャビネット取付構造は、フロントキャビネット５及びリアキャビネット６が夫々表示パネル４１の正面側及び背面側に取り付けられた状態で、フロントキャビネット５にリアキャビネット６がネジ留めされてなる。
具体的には、リアキャビネット６の背面部６３内面に略垂直に突設してある円柱状のホルダ６１，６１，…が、フロントキャビネット５の正面部５３内面に略垂直に突設してある円柱状のボス５１，５１，…に嵌合され、各ホルダ６１を通して、このホルダ６１に対応するボス５１に、ネジ５０が螺合される。
【０００６】
さて、フロントキャビネット５及びリアキャビネット６のネジ留めの工数を削減するために、ボス５１，５１，…及びホルダ６１，６１，…は、フロントキャビネット５及びリアキャビネット６夫々の四隅にのみ配設してある。
そして、多数のボス５１，５１，…及びホルダ６１，６１，…を設ける代わりに、ボス５１，５１間には複数の嵌合突起５２，５２，…が並設してあり、ホルダ６１，６１間には、嵌合突起５２，５２，…に対応する嵌合孔６２，６２，…が配設してある。
【０００７】
図８に示すように、各嵌合突起５２は、フロント周縁部５４内面に略垂直に突設してある。一方、各嵌合孔６２は、リア周縁部６４の先端部６４ａに突設してあるリブ６０を貫通して形成してある。
図７に示すように、フロントキャビネット５にリアキャビネット６を図中矢符Ｂ方向に取り付ける際、ホルダ６１，６１，…及びボス５１，５１，…の嵌合と同時的に、嵌合突起５２，５２，…が対応する嵌合孔６２，６２，…にリアキャビネット６の外側から矢符Ｃ方向に挿入されて、図８に示すように嵌合する。
【０００８】
ホルダ６１，６１，…及びボス５１，５１，…の嵌合並びに嵌合突起５２，５２，…及び嵌合孔６２，６２，…の嵌合が完了した後に、ネジ５０，５０，…によるネジ留めが行なわれる。
このようにして、多数のネジ留めを行なうことなくフロントキャビネット５とリアキャビネット６とが確実に表示パネル４１に取り付けられる。
【０００９】
以上のようなフロントキャビネット５及びリアキャビネット６夫々は、対応する金型を用いて一体成形してなる。
【００１０】
ところで、従来、フロントキャビネットの周縁部に設けられた嵌合溝と、リアキャビネットの周縁部の内側縁部に設けられた嵌合リブとを嵌合することによってフロントキャビネットとリアキャビネットとを係合させてテレビジョン装置本体に取り付けるキャビネット取付構造が開示されている（特許文献１参照）。
このようなキャビネット取付構造は、リアキャビネットの周縁部に直に嵌合リブを設けることによってリアキャビネットに歪みが生じることを抑制している。
【００１１】
また、従来、フロントキャビネットとリアキャビネットとをテレビジョン装置本体に取り付けるために、フロントキャビネットの周縁部の内側のリブに接着された接着ボスに、リアキャビネット側からネジ留めを施すキャビネット取付構造が開示されている（特許文献２参照）。
このようなキャビネット取付構造は、フロントキャビネットの周縁部に直に接着ボスを接着することによってフロントキャビネットに歪みが生じることを抑制している。
【００１２】
更に、従来、フロントキャビネットに配されたボスにリブを設け、リアキャビネットに配されたホルダに切欠部を設け、ホルダをボスに嵌合させ、リブを切欠部に係合させて、ボスにネジ留めを施すことによって、ネジ留めによって発生した締付トルクをボス及びホルダ両方に分散させるキャビネット取付構造が開示されている（特許文献３参照）。
このようなキャビネット取付構造は、締付トルクがボスにのみ伝達してフロントキャビネットに歪みが生じることを抑制している。
【００１３】
更にまた、従来、内面側が凹段状に形成されているリブをフロントキャビネットに設け、外面側が凹段状に形成されており、補強用肉厚部を内面に有するリブをリアキャビネットに設け、凹段状のリブ同士を嵌め合わせて接合することによってフロントキャビネット及びリアキャビネットをテレビジョン装置本体に取り付けるキャビネット取付構造が開示されている（特許文献４参照）。
このようなキャビネット取付構造は、リブの強度を向上させることができる。
【特許文献１】実開昭６３−１３１１７８号公報
【特許文献２】実開平１−１４９１７７号公報
【特許文献３】実用新案登録第３０９０７０２号公報
【特許文献４】実用新案登録第３０９０８３７号公報
【発明の開示】
【発明が解決しようとする課題】
【００１４】
金型を用いてフロントキャビネット５を製造する場合、金型に合成樹脂が注入されてフロントキャビネット５が成形され、成形されたフロントキャビネット５は、金型から抜き取られる。この場合、フロントキャビネット５の金型からの抜脱方向は、フロントキャビネット５の表示パネル４１に対する取付方向の逆方向であり、フロント周縁部５４に沿う方向である。
【００１５】
ところが、各嵌合突起５２は、フロント周縁部５４内面に略垂直に突設してある。このため、各嵌合突起５２を破損せずに金型からフロントキャビネット５を抜脱するためには、各嵌合突起５２を保護する傾斜ピンを金型に組み込んだ状態でフロントキャビネット５を成形する必要があり、この結果、金型の形状が複雑になるという問題がある。
【００１６】
しかしながら、特許文献１〜４に開示されているキャビネット取付構造は、金型の簡易化に関して考慮されていない。
【００１７】
本発明は斯かる事情に鑑みてなされたものであり、その主たる目的は、電気機器の一部及び他部に取り付けられる第１キャビネットと第２キャビネットとに、夫々電気機器に対する取付方向へ突出する可撓リブと有穴リブ及び案内リブとを備えることにより、簡易な形状の金型を用いて第１キャビネット及び第２キャビネット夫々を成形し、成形された第１キャビネット及び第２キャビネットを確実に取り付けることができるキャビネット取付構造を提供することにある。
【００１８】
本発明の他の目的は、可撓リブを撓ませて、可撓リブの挿入穴への挿入を案内し、有穴リブを撓ませて、有穴リブを可撓リブの側へ案内し、可撓リブを有穴リブの挿入穴に挿入して係合させる構成とすることにより、第１キャビネット及び第２キャビネットを更に確実に取り付けることができるキャビネット取付構造を提供することにある。
【００１９】
本発明の更に他の目的は、第１（第２）キャビネットが、矩形状の電気機器の一（他）面を覆う一（他）面部と周縁を覆う第１（第２）周縁部とを有し、可撓リブは一面部に突設されており、有穴リブは第２周縁部に突設されていることにより、第１キャビネット及び第２キャビネットを、矩形状の電気機器に取り付けることができるキャビネット取付構造を提供することにある。
【課題を解決するための手段】
【００２０】
本発明に係るキャビネット取付構造は、電気機器の一部及び他部に第１キャビネット及び第２キャビネットを夫々取り付けるキャビネット取付構造において、前記第１キャビネットは、該第１キャビネットの前記電気機器に対する第１取付方向へ突出しており、可撓性を有する可撓リブを一体に備え、前記第２キャビネットは、該第２キャビネットの前記電気機器に対する第２取付方向へ突出しており、前記可撓リブが挿入されて前記可撓リブと係合する挿入穴を形成してある有穴リブと、前記第２取付方向へ突出しており、前記可撓リブを撓ませて前記可撓リブの前記挿入穴への挿入を案内する案内リブとを共に一体に備えることを特徴とする。
【００２１】
本発明に係るキャビネット取付構造は、前記有穴リブは可撓性を有し、前記第１キャビネットは、前記有穴リブを撓ませて前記可撓リブの側へ案内する案内部を一体に備えることを特徴とする。
【００２２】
本発明に係るキャビネット取付構造は、前記電気機器は矩形状であり、前記第１キャビネットは、前記電気機器の一面を覆う一面部と、該一面部に、前記第１取付方向に設けられ、前記電気機器の周縁を覆う第１周縁部とを有し、前記可撓リブは前記一面部に突設されており、前記第２キャビネットは、前記電気機器の他面を覆う他面部と、該他面部に、前記第２取付方向に設けられ、前記電気機器の周縁を覆う第２周縁部とを有し、前記有穴リブは前記第２周縁部に突設されており、前記案内リブの周縁に、前記可撓リブを案内する案内面が形成されていることを特徴とする。
【００２３】
本発明にあっては、電気機器の一部に取り付けられる第１キャビネットが、電気機器に対する第１取付方向へ突出する可撓リブを一体に備える。
このような第１キャビネットを、金型を用いて製造する場合、金型に合成樹脂が注入されて第１キャビネットが成形され、このとき、可撓リブも一体に成形される。成形された第１キャビネットは、金型から、第１取付方向の逆方向に抜き取られる。
【００２４】
可撓リブの突出方向は、第１キャビネットの金型からの抜脱方向に沿うため、例えば傾斜ピンを組み込んだ複雑な形状の金型を用いて可撓リブを抜脱時の破損から保護する必要がない。
【００２５】
一方、電気機器の他部に取り付けられる第２キャビネットは、電気機器に対する第２取付方向へ突出する有穴リブ及び案内リブを一体に備える。
このような第２キャビネットを、金型を用いて製造する場合も、有穴リブ及び案内リブ夫々は第２キャビネットの金型からの抜脱方向に沿う方向へ突出しているため、例えば傾斜ピンを組み込んだ複雑な形状の金型を用いて有穴リブ及び案内リブを抜脱時の破損から保護する必要がない。
【００２６】
さて、第１キャビネットの可撓リブは可撓性を有し、第２キャビネットの有穴リブには挿入穴が形成してある。第２キャビネットの案内リブは、可撓リブを撓ませて、可撓リブの挿入穴への挿入を案内する。
即ち、可撓リブは、案内リブに挿入穴への挿入を案内されることによって撓まされ、挿入穴に挿入されることによって挿入穴と係合する。この場合、撓まされた可撓リブの弾性によって、可撓リブと有穴リブとが絡み合うようにして、可撓リブと挿入穴とが係合する。このようにして、第１キャビネット及び第２キャビネットは互いに係合し、電気機器の一部及び他部に取り付けられた状態で固定される。
【００２７】
本発明にあっては、第２キャビネットの有穴リブが可撓性を有し、第１キャビネットの案内部が、有穴リブを撓ませて可撓リブ側へ案内する。
即ち、有穴リブは、案内部に可撓リブ側へ案内されることによって撓まされ、可撓リブは、案内リブに挿入穴への挿入を案内されることによって撓まされ、そして、可撓リブが挿入穴に挿入されることによって、可撓リブと挿入穴とが係合する。この場合、撓まされた可撓リブ及び有穴リブ夫々の弾性によって、可撓リブと有穴リブとが更に強固に絡み合うようにして、可撓リブと挿入穴とが係合する。
【００２８】
本発明にあっては、第１キャビネット（第２キャビネット）が、矩形状の電気機器の一面（他面）を覆う一面部（他面部）と、この一面部（他面部）に、第１キャビネット（第２キャビネット）の電気機器に対する第１取付方向（第２取付方向）に設けられ、電気機器の周縁を覆う第１周縁部（第２周縁部）とを有し、電気機器の一面側（他面側）に取り付けられる。
【００２９】
可撓リブは、第１取付方向へ突出して一面部に一体に備えられている。
有穴リブは、第２取付方向へ突出して第２周縁部に一体に備えられている。
案内リブの周縁には、可撓リブを案内する案内面が形成されている。即ち、可撓リブは、案内リブの案内面に沿って挿入穴への挿入を案内されることによって撓まされ、挿入穴に挿入されることによって挿入穴と係合する。
【発明の効果】
【００３０】
本発明のキャビネット取付構造による場合、第１キャビネットの可撓リブが、電気機器に対する第１取付方向へ突出しているため、金型から第１キャビネットを抜脱する際に、例えば傾斜ピンを用いて可撓リブを破損から保護する必要がない。つまり、簡易な形状の金型を用いて第１キャビネットを成形することができる。
同様に、第２キャビネットも、有穴リブ及び案内リブが夫々電気機器に対する第２取付方向へ突出しているため、簡易な形状の金型を用いて成形することができる。
【００３１】
更に、第２キャビネットの案内リブに案内された第１キャビネットの可撓リブと、第２キャビネットの有穴リブとが絡み合うようにして、可撓リブと有穴リブに形成された挿入穴とが係合することによって、第１キャビネット及び第２キャビネットを確実に電気機器に取り付けることができる。
【００３２】
本発明のキャビネット取付構造による場合、案内リブに案内された可撓リブと、第１キャビネットの案内部に案内された有穴リブとが絡み合うようにして、可撓リブと有穴リブの挿入穴とが係合することによって、第１キャビネット及び第２キャビネットを更に確実に電気機器に取り付けることができる。
【００３３】
本発明のキャビネット取付構造による場合、案内リブの案内面に案内された可撓リブと、有穴リブに形成された挿入穴とが係合することによって、第１キャビネット及び第２キャビネットを確実に矩形状の電気機器に取り付けることができる。
【発明を実施するための最良の形態】
【００３４】
以下、本発明を、その実施の形態を示す図面に基づいて詳述する。
【００３５】
図１は、本発明に係るキャビネット取付構造３の構成を示す斜視図であり、このキャビネット取付構造３を備える表示装置４の斜視図でもある。
表示装置４は、矩形状の表示パネル４１（電気機器）と、表示パネル４１の正面側（一部）に取り付けられるフロントキャビネット１（第１キャビネット）と、表示パネル４１の背面側（他部）に取り付けられることによって表示パネル４１の裏蓋として機能するリアキャビネット２（第２キャビネット）とを備える。
【００３６】
表示パネル４１は液晶ディスプレイ・パネルであり、５０インチ〜７０インチ（例えば６５インチ）の矩形状の表示画面４ａを正面に有する。
また、表示パネル４１は、表示装置４を机上、床面等に設置するための脚部４２を表示パネル４１背面下部から突出して有し、表示画面４ａの図示しない光源（バックライト）と、該バックライト及び表示画面４ａの各ラインの各画素に適宜の諧調電圧を印加することによって液晶ディスプレイ・パネルの液晶を制御する図示しない液晶ドライバとを有する。
【００３７】
フロントキャビネット１及びリアキャビネット２夫々は合成樹脂を用いてなり、フロントキャビネット１及びリアキャビネット２夫々の内法は表示パネル４１の寸法に適合する寸法を有する。
フロントキャビネット１は、開口１ａが形成されている矩形枠状であり、フロントキャビネット１が表示パネル４１に取り付けられた場合、この開口１ａから表示パネル４１の表示画面４ａが外部に露出する。
キャビネット取付構造３は、表示パネル４１に取り付けられたフロントキャビネット１とリアキャビネット２とが互いに係合してなる。
【００３８】
図２は、キャビネット取付構造３の要部の構成を示す分解斜視図である。
図３は、フロントキャビネット１の要部の構成を示す拡大斜視図であり、図４は、リアキャビネット２の要部の構成を示す拡大斜視図である。ここで、図２及び図３に示す各可撓リブ１１及び案内部１２は、フロントキャビネット１正面側から透視した状態を示している。
また、図５は、フロントキャビネット１及びリアキャビネット２の取付手順を説明する縦断面図である。
図６は、キャビネット取付構造３の要部の構成を示す縦断面図である。
【００３９】
図２、図３及び図５に示すように、フロントキャビネット１は、表示パネル４１の正面４１ａ周縁近傍を覆うために、開口１ａを有する矩形板枠状の正面部１５を備える。ここで、表示パネル４１の正面４１ａ周縁近傍とは、表示画面４ａを除く表示パネル４１の正面部分である。
【００４０】
また、フロントキャビネット１は、表示パネル４１の周縁４１ｃの一部を囲繞するように覆うために、正面部１５の外縁部分に一体に突設された矩形板枠状のフロント周縁部１６を備える。即ち、フロント周縁部１６は、正面部１５に交差する方向に、正面部１５に一体形成されている。
フロントキャビネット１の表示パネル４１に対する第１取付方向（以下、フロント取付方向という）は、正面部１５に対するフロント周縁部１６の突設方向に略等しい。このフロント取付方向は、図２及び図５に示す矢符Ａの逆方向である。
【００４１】
フロントキャビネット１の四隅、正面部１５内面に１本ずつ一体に、円柱状のボス１４，１４，…が、フロント取付方向へ突設してある。各ボス１４には、フロントキャビネット１及びリアキャビネット２のネジ留めの際に、図示しないネジが螺嵌する。
【００４２】
図２、図３及び図５に示すように、正面部１５内面のフロント周縁部１６近傍に一体に、可撓性を有すべく所要の厚みに形成された複数の可撓リブ１１，１１，…が、フロント取付方向へ突設されている。各可撓リブ１１は、一端（基端）が固定端、他端（先端）が自由端である矩形平板状である。
【００４３】
また、正面部１５内面の正面部１５とフロント周縁部１６との境界部分に一体に、可撓リブ１１，１１，…よりもサイズが小さい平板状の案内部１２，１２，…が、各可撓リブ１１に対応する位置に、フロント取付方向へ突設されている。つまり、案内部１２は、可撓リブ１１の突設位置よりもフロントキャビネット１外部側に配されている。
案内部１２の周縁の一部には、フロント周縁部１６側に向く平面状の案内面１２ａが形成されている。この案内面１２ａは、後述するように有穴リブ２１を案内するために、対応する可撓リブ１１に対して傾斜させてある。
【００４４】
可撓リブ１１，１１，…及び案内部１２，１２，…は、表示パネル４１のフロントキャビネット１の天部近傍にて隣り合う２個のボス１４，１４の間に複数個、このボス１４，１４の離隔方向に並設されている。
【００４５】
図２、図４及び図５に示すように、リアキャビネット２は、表示パネル４１の背面４１ｂを覆うために、板状の背面部２５を備える。
また、リアキャビネット２は、表示パネル４１の周縁４１ｃの他部を囲繞するように覆うために、背面部２５の外縁部分に一体に突設された矩形板枠状のリア周縁部２６を備える。即ち、リア周縁部２６は、背面部２５に交差する方向に、背面部２５に一体形成されている。
【００４６】
リアキャビネット２の表示パネル４１に対する第２取付方向（以下、リア取付方向という）は、背面部２５に対するリア周縁部２６の突設方向に略等しい。このリア取付方向は、図２及び図５に示す矢符Ａ方向である。
リア周縁部２６は先端部２６ａ及び基端部２６ｂを有するＬ字状であり、先端部２６ａは、基端部２６ｂに対して一体に、かつリアキャビネット２の外側（図中上側）へ略垂直に突設してある。
【００４７】
リアキャビネット２の四隅、背面部２５内面に１本ずつ一体に、円柱状のホルダ２４，２４，…が、リア取付方向へ突設してある。各ホルダ２４は、フロントキャビネット１及びリアキャビネット２のネジ留めの際に、対応するボス１４に外嵌される。
【００４８】
図２、図４及び図５に示すように、リア周縁部２６の先端部２６ａ一体に、可撓性を有すべく所要の厚みに形成された複数の有穴リブ２１，２１，…が、リア取付方向へ突設されている。各有穴リブ２１は矩形板状であり、有穴リブ２１の厚み方向に貫通して矩形の挿入穴２０が形成されている。各有穴リブ２１は、一端（基端）が固定端、他端（先端）が自由端である矩形平板状であり、挿入穴２０は有穴リブ２１の基端近傍に形成されている。
【００４９】
また、先端部２６ａの基端に一体に、平板状の案内リブ２２が、各有穴リブ２１に対応する位置に、リア取付方向へ突設されている。つまり、案内リブ２２は、有穴リブ２１の突設位置よりもリアキャビネット２内部側に配されている。
案内リブ２２の周縁の一部には、リア周縁部２６側に向く案内面２ａが形成されている。この案内面２ａは、後述するように可撓リブ１１を案内するために、対応する有穴リブ２１に対して傾斜させてある。このような案内リブ２２の側面視の形状は、基端側が矩形状、先端側が流線型に似た形状である。
【００５０】
有穴リブ２１，２１，…及び案内リブ２２，２２，…は、可撓リブ１１，１１，…及び案内部１２，１２，…に対応する位置であって、リアキャビネット２の天部近傍にて隣り合う２個のホルダ２４，２４の間に複数個、このホルダ２４，２４の離隔方向に並設されている。
【００５１】
以上のようなフロントキャビネット１及びリアキャビネット２は、夫々対応する金型を用いて一体成形してなる。
【００５２】
金型を用いてフロントキャビネット１を製造する場合、作業者は、フロントキャビネット１を成形するための金型に合成樹脂を注入することによって、可撓リブ１１，１１，…及び案内部１２，１２，…が一体のフロントキャビネット１を成形する。
同様に、金型を用いてリアキャビネット２を製造する場合、作業者は、リアキャビネット２を成形するための金型に合成樹脂を注入することによって、有穴リブ２１，２１，…及び案内リブ２２，２２，…が一体のリアキャビネット２を成形する。
【００５３】
成形されたフロントキャビネット１（リアキャビネット２）は、金型から、フロント取付方向（リア取付方向）の逆方向に抜脱される。
【００５４】
各可撓リブ１１及び案内部１２（各有穴リブ２１及び案内リブ２２）夫々の突出方向は、フロントキャビネット１（リアキャビネット２）の金型からの抜脱方向に沿うため、金型からフロントキャビネット１（リアキャビネット２）を抜脱する際に、例えば傾斜ピンを金型に組み込んで各可撓リブ１１及び案内部１２（各有穴リブ２１及び案内リブ２２）を抜脱時の破損から保護する必要がない。つまり、フロントキャビネット１（リアキャビネット２）を成形するための金型の形状が簡易である。
また、各可撓リブ１１及び案内部１２（各有穴リブ２１及び案内リブ２２）の形状は夫々単純な平板状であるため、金型の形状は更に簡易である。
【００５５】
次に、表示パネル４１に対するフロントキャビネット１及びリアキャビネット２の取り付けについて説明する。
作業者は、図１に示すような脚部４２によって机上、床面等に設置された表示パネル４１に対し、フロントキャビネット１を表示パネル４１に正面４１ａ側から覆い被せ、リアキャビネット２を表示パネル４１に背面４１ｂ側から覆い被せて、フロントキャビネット１とリアキャビネット２とを係合する。
【００５６】
具体的には、図２及び図５に示すように、表示パネル４１にフロントキャビネット１を矢符Ａ方向の逆方向に正面４１ａ側から覆い被せて仮留めし、更に、リアキャビネット２を矢符Ａ方向に背面４１ｂ側から覆い被せる。
このとき、リアキャビネット２の各ホルダ２４が、フロントキャビネット１の対応するボス１４に外嵌される。
【００５７】
また、リアキャビネット２の各案内リブ２２の案内面２ａに、対応する可撓リブ１１の先端部が当接して可撓リブ１１が有穴リブ２１側へ撓み、可撓リブ１１の先端部が案内面２ａに沿って、対応する有穴リブ２１の挿入穴２０への挿入を案内される。
そして、図６に示すように、撓んだ可撓リブ１１の先端部が挿入穴２０に挿入されることによって、可撓リブ１１と挿入穴２０とが係合する。
【００５８】
更に、有穴リブ２１の先端部が、フロントキャビネット１の対応する案内部１２に当接し、案内面１２ａに沿って、有穴リブ２１が可撓リブ１１側へ撓む。
この場合、夫々撓まされた可撓リブ１１，１１，…及び有穴リブ２１，２１，…夫々の弾性によって、対応する可撓リブ１１と有穴リブ２１とが強固に絡み合う。
【００５９】
以上のようにして、フロントキャビネット１及びリアキャビネット２は表示パネル４１に取り付けられた状態で互いに係合する。
更に、作業者は、図示しないネジを用いて、フロントキャビネット１とリアキャビネット２とをネジ留め固定する。
このように、フロントキャビネット１及びリアキャビネット２は表示パネル４１を挟み込むようにして保護し、更に、美観を向上させる役割を有する。
【００６０】
以上のようなキャビネット取付構造３は、夫々簡易な形状の金型を用いてフロントキャビネット１及びリアキャビネット２を成形し、成形されたフロントキャビネット１及びリアキャビネット２を確実に係合させて、表示パネル４１に容易に取り付けることができる。
【００６１】
なお、本実施の形態においては、フロントキャビネット１及びリアキャビネット２夫々の天部近傍に設けられている（即ち表示パネル４１の天面側に対応して設けられている）可撓リブ１１、案内部１２、有穴リブ２１及び案内リブ２２を例示しているが、これに限るものではなく、例えばフロントキャビネット１及びリアキャビネット２夫々の側部近傍又は底部近傍に設けてもよく、複数の部分（例えば天部近傍と両側部近傍と）に設けてもよい。
【００６２】
案内部１２は省いてもよいが、案内部１２を設けてある方が、可撓リブ１１及び有穴リブ２１が強固に絡み合い係合力が高まるため好ましい。
即ち、案内部１２が存在しない場合、図６に示すような可撓リブ１１の挿入穴２０への挿入によって有穴リブ２１が可撓リブ１１に押されて逃げ、有穴リブ２１と可撓リブ１１との絡み合いが緩くなる可能性がある。
【００６３】
また、可撓リブ１１、案内部１２、挿入穴２０、有穴リブ２１及び案内リブ２２の形状は、本実施の形態に示す形状に限るものではない。例えば、挿入穴２０は貫通していない穴でもよい。更に、案内リブ２２は案内面２ａが平面状でも曲面状でもよい。また、可撓リブ１１及び有穴リブ２１は厚みが一定（平板状）でなくてもよい（例えば断面が細長半楕円形状、波状等）。
【００６４】
更に、可撓リブ１１及び案内部１２をリアキャビネット２側に、有穴リブ２１及び案内リブ２２をフロントキャビネット１側に設ける構成でもよい。
更にまた、本実施の形態においては、図６に示すように、可撓リブ１１は外側へ撓み、有穴リブ２１は内側へ撓むようにしてあるが、逆に、可撓リブ１１が内側へ撓み、有穴リブ２１が外側へ撓むように、可撓リブ１１、案内部１２、挿入穴２０、有穴リブ２１及び案内リブ２２を配置してもよい。
【００６５】
更に、表示パネル４１は、液晶ディスプレイ・パネルに限らず、プラズマ・ディスプレイ・パネル、有機／無機ＥＬディスプレイ・パネル等でもよい。
更にまた、本発明のキャビネット取付構造を備える電気機器は、表示パネルに限るものではなく、記憶装置本体、パーソナルコンピュータ本体等でもよい。
【図面の簡単な説明】
【００６６】
【図１】本発明に係るキャビネット取付構造の構成を示す斜視図である。
【図２】本発明に係るキャビネット取付構造の要部の構成を示す分解斜視図である。
【図３】本発明に係るキャビネット取付構造が備えるフロントキャビネットの要部の構成を示す拡大斜視図である。
【図４】本発明に係るキャビネット取付構造が備えるリアキャビネットの要部の構成を示す拡大斜視図である。
【図５】本発明に係るキャビネット取付構造が備えるフロントキャビネット及びリアキャビネットの取付手順を説明する縦断面図である。
【図６】本発明に係るキャビネット取付構造の要部の構成を示す縦断面図である。
【図７】従来のキャビネット取付構造が備えるフロントキャビネット及びリアキャビネットの取付手順を説明する分解斜視図である。
【図８】従来のキャビネット取付構造の要部の構成を示す縦断面図である。
【符号の説明】
【００６７】
１    フロントキャビネット（第１キャビネット）
１１  可撓リブ
１２  案内部
１５  正面部（一面部）
１６  フロント周縁部（第１周縁部）
２    リアキャビネット（第２キャビネット）
２０  挿入穴
２１  有穴リブ
２２  案内リブ
２ａ  案内面
２５  背面部（他面部）
２６  リア周縁部（第２周縁部）
３    キャビネット取付構造
４１  表示パネル（電気機器）
【図１】
2007328031.tif 000003
【図２】
2007328031.tif 000004
【図３】
2007328031.tif 000005
【図４】
2007328031.tif 000006
【図５】
2007328031.tif 000007
【図６】
2007328031.tif 000008
【図７】
2007328031.tif 000009
【図８】
2007328031.tif 000010